(57)【要約】【課題】本発明は、発光効率が高く、エネルギーを節約し、環境を保護することができる発光ダイオードランプを提供することを目的とする。【解決手段】本発明に係る発光ダイオードランプは、ランプキャップと、ランプカバーと、前記ランプキャップと前記ランプカバーとの間に連接される連接筒と、前記連接筒内に設置される取付部材と、前記取付部材に固定される導熱体と、前記導熱体に熱接続する発光ダイオードモジュールと、を備える。【選択図】図１
2010251325.tif 000002
【特許請求の範囲】
【請求項１】
ランプキャップと、
ランプカバーと、
前記ランプキャップと前記ランプカバーとの間に連接される連接筒と、
前記連接筒内に設置される取付部材と、
前記取付部材に固定される導熱体と、
前記導熱体に熱接続する発光ダイオードモジュールと、
を備えることを特徴とする発光ダイオードランプ。
【請求項２】
前記連接筒は、上端部と、下端部と、前記上端部と前記下端部との間に位置する中間部と、を備え、前記中間部の内径は、前記上端部及び前記下端部の内径より小さいことを特徴とする請求項１に記載の発光ダイオードランプ。
【請求項３】
前記取付部材は、前記連接筒の中間部に螺合することを特徴とする請求項２に記載の発光ダイオードランプ。
【請求項４】
前記ランプキャップは、前記連接筒の下端部に螺合し、前記ランプカバーは、前記連接筒の上端部に螺合することを特徴とする請求項３に記載の発光ダイオードランプ。
【請求項５】
前記ランプカバーは、前記連接筒の上端部に螺合する連接部及び前記発光ダイオードモジュールに被せる透光部を備えることを特徴とする請求項４に記載の発光ダイオードランプ。
【請求項６】
前記連接筒の上端部と前記ランプカバーの連接部との間及び前記連接筒の下端部と前記ランプキャップとの間には、防水のために用いられるワッシャーが設置され、
前記ランプキャップの底部には、取付孔が開設され、前記発光ダイオードモジュールの導電線を貫かせる防水連接部材が前記取付孔に係合することを特徴とする請求項５に記載の発光ダイオードランプ。
【請求項７】
前記導熱体は、前記発光ダイオードモジュールを取り付けるための取付面を備え、前記取付面は、前記発光ダイオードランプの外側に向かうことを特徴とする請求項１に記載の発光ダイオードランプ。
【請求項８】
前記取付部材には、複数の固定孔が開設され、前記複数の固定孔は、前記取付部材の中軸線を囲んで互いに離間して設置され、各固定孔には１つの導熱体が挿入され、各導熱体の取付面には１つの発光ダイオードモジュールが熱接続されることを特徴とする請求項７に記載の発光ダイオードランプ。
【請求項９】
前記取付部材及び前記連接筒は、導熱材料からなり、前記取付部材は、前記連接筒に熱接続することを特徴とする請求項１に記載の発光ダイオードランプ。
【発明の詳細な説明】
【技術分野】
【０００１】
本発明は、照明装置に関するものであって、特に発光ダイオードランプに関するものである。
【背景技術】
【０００２】
人々は、長期間化石燃料に依存しすぎているため、エネルギー源の欠乏及び石油価格の上昇を招き、経済発展を妨害するばかりでなく、二酸化炭素及び有害気体の排出濃度もだんだん大きくなり、地球の温暖化による気候異常、生態環境の破壊、人類生存に対する危害を引き起こす。したがって、地球生態環境を永遠に継続させるために、エネルギー源危機及び環境汚染問題を同時に解決しなければならない。従来の照明設備は、エネルギー消耗が大きい。照明の分野でエネルギーを少なくするために、発光効率が高く、エネルギーを節約し、環境を保護することができる新しい光源で従来の光源を取り替えることを必要とする。
【発明の概要】
【発明が解決しようとする課題】
【０００３】
本発明の目的は、前記課題を解決し、発光効率が高く、エネルギーを節約し、環境を保護することができる発光ダイオードランプを提供することである。
【課題を解決するための手段】
【０００４】
本発明に係る発光ダイオードランプは、ランプキャップと、ランプカバーと、前記ランプキャップと前記ランプカバーとの間に連接される連接筒と、前記連接筒内に設置される取付部材と、前記取付部材に固定される導熱体と、前記導熱体に熱接続する発光ダイオードモジュールと、を備える。
【発明の効果】
【０００５】
本発明に係わる発光ダイオードランプは、発光ダイオードを光源とするため、発光効率が高く、エネルギーを節約し、環境を保護することができる。
【図面の簡単な説明】
【０００６】
【図１】本発明の第一実施形態に係る発光ダイオードランプの立体組立図である。
【図２】図１に示す発光ダイオードランプの立体分解図である。
【図３】図１に示す発光ダイオードランプの別の視角からの立体分解図である。
【図４】図１に示す発光ダイオードランプのランプカバーを取り外した後の局部分解図である。
【図５】図２に示す発光ダイオードランプの連接筒の断面図である。
【図６】本発明の第二実施形態に係る発光ダイオードランプの取付部材と導熱体の立体図である。
【発明を実施するための形態】
【０００７】
以下、図面を参照して、本発明の実施形態について説明する。
【０００８】
図１〜図４を参照すると、本発明の第一実施形態に係る発光ダイオードランプは、室内又は野外の特定の領域に照射範囲が広い照明を提供する。前記発光ダイオードランプは、ランプキャップ１０と、ランプカバー６０と、前記ランプキャップ１０と前記ランプカバー６０との間に連接される連接筒２０と、前記連接筒２０内に固定される取付部材３０と、前記取付部材３０に挿入して設置される複数の導熱体４０と、前記複数の導熱体４０の外側面に設置されて前記ランプカバー６０に被せられる複数の発光ダイオードモジュール５０と、を備える。
【０００９】
前記ランプキャップ１０は、碗状であって、電子駆動モジュール（図示せず）などの電子素子を収容することに用いられる。前記ランプキャップ１０は、上に向かって開口しており、その上端部の外周面には外部ねじ山１２が形成されており、その底部の中心には取付孔１６が開設されている。前記発光ダイオードランプは、前記取付孔１６に係合する防水連接部材１００をさらに備える。前記防水連接部材１００は、プラスチック材料から製造される中空柱状であって、前記電子駆動モジュールに接続されており、前記発光ダイオードモジュール５０の導電線を貫かせるとともに、雨水が前記ランプキャップ１０内に浸入することを防ぐ。前記ランプキャップ１０の下端部の外周面には、複数のリブ１４が互いに離間して並んでいる。前記複数のリブ１４によって摩擦力が高まるため、前記ランプキャップ１０を回転させ易い。前記防水連接部材１００の頂部の近傍には環形スロット１０２が設置され、前記環形スロット１０２は、前記防水連接部材１００の内部に向かって凹んで形成される。前記防水連接部材１００が前記ランプキャップ１０の取付孔１６を貫く場合、前記取付孔１６周囲の部分が前記環形スロット１０２に係合されて、前記防水連接部材１００が前記ランプキャップ１０の底部に係合する。
【００１０】
図５を一緒に参照すると、前記連接筒２０は、アルミニウム、銅などのような優れた導熱性能を有する放熱材料から製造される中空の円筒である。前記連接筒２０は、上下方向の２つの端部２２と、前記２つの端部２２の間に位置する中間部２４を備える。前記２つの端部２２の外径は、前記中間部２４の外径と等しいが、前記２つの端部２２の内径は、前記中間部２４の内径より大きい。前記中間部２４の内壁は、前記２つの端部２２の内壁より内側へ突出するため、前記中間部２４の上下面は前記連接筒２０の内部で互いに平行する環形段階面２４２を形成する。前記２つの端部２２の内壁には内部ねじ山２２０が形成されており、前記ランプキャップ１０の上端部の外部ねじ山１２は前記連接筒２０の下端部２２の内部ねじ山２２０に螺合して、前記ランプキャップ１０の上端部は前記連接筒２０の下端部２２に収容される。前記中間部２４の内壁の上半部には、内部ねじ山２４０が形成されている。前記中間部２４の外周面には、複数のリブ２４４が互いに離間して並んでいる。前記複数のリブ２４４により摩擦力が高まるため、前記連接筒２０を回転させ易い。
【００１１】
前記取付部材３０は、円柱状であって、アルミニウム、銅などのような優れた導熱性能を有する放熱材料から製造される。前記取付部材３０の外周面には外部ねじ山３２が形成されているため、前記取付部材３０を前記連接筒２０の中間部２４に螺合することができる。前記取付部材３０には、その軸方向に沿って前記取付部材３０を貫く六つの半円形の固定孔３４が開設されており、前記導熱体４０の一端を前記固定孔３４に挿入して固定することができる。前記六つの固定孔３４は、前記取付部材３０の中軸線を中心として並んでいる。前記固定孔３４の形状は、前記導熱体４０の横断面の形状に対応する。前記固定孔３４の数量は、六つに限定されるものではなく、前記固定孔３４の形状も半円形に限定されるものではない。前記取付部材３０の中心には、その軸方向に沿って貫通孔３６が開設される。前記貫通孔３６の断面の形状は、操作工具（例えば、六角スパナである）で操作できる円形、楕円形、六角形、四角形、八角形などであって、前記貫通孔３６に挿入された操作工具を回転することにより、前記取付部材３０を前記連接筒２０の中間部２４に螺合する。前記発光ダイオードモジュール５０の導電線は前記貫通孔３６を貫いて、前記電子駆動モジュールに電気接続する。
【００１２】
前記導熱体４０は、アルミニウム、銅などのような優れた導熱性能を有する放熱材料から製造され、半円形の横断面を有する縦長いロッドである。前記導熱体４０の周面は、取付平面と、前記取付平面の両側を接続する弧面と、を備える。前記導熱体４０の一端を前記取付部材３０の固定孔３４に挿入して固定する場合、前記導熱体４０の取付平面は外側に向かい、前記発光ダイオードモジュール５０を貼り合わせることに用いられる。前記導熱体４０の取付平面には、２つの固定孔４２が互いに離間して開設される。
【００１３】
前記発光ダイオードモジュール５０は、回路基板５２と、前記回路基板５２に取り付けられる複数の発光ダイオード５４と、を備える。前記回路基板５２は、縦長いシートであって、前記回路基板５２の１つの側面は、前記導熱体４０の取付平面に貼り合わせ、前記複数の発光ダイオード５４は、前記回路基板５２の縦長方向に沿って前記回路基板５２の他の側面に互いに離間して並んでいる。前記回路基板５２には、２つの固定孔５４０が開設されており、ねじ３００は、前記回路基板５２の固定孔５４０を貫いて前記導熱体４０の固定孔４２に螺合することにより、前記発光ダイオードモジュール５０を前記導熱体４０に固定する。
【００１４】
前記ランプカバー６０は、連接部６２及び透光部６４を備える。前記連接部６２は、円筒状であって、その下端部の外周面には外部ねじ山６２２が形成されているため、前記連接部６２の下端部を前記連接筒２０の上端部２２に螺合することができる。前記連接部６２の上端部の外周面には、複数のリブ６２４が互いに離間して並んでいる。前記複数のリブ６２４により摩擦力が高まるため、前記連接部６２の下端部を前記連接筒２０の上端部２２に螺合し易い。前記透光部６４は、透明又は半透明のプラスチック、ガラスなどの材料から製造され、前記連接部６２の頂端から上に向かって延在して形成される。前記透光部６４の頂端を密封して、前記ランプカバー６０で前記導熱体４０及び前記発光ダイオードモジュール５０を被せる。
【００１５】
前記発光ダイオードランプの防水機能を増強するために、前記発光ダイオードランプは、２つの防水ワッシャー２００をさらに備える。１つのワッシャー２００は、前記連接筒２０の上端部２２内に収容され、且つ前記連接筒２０の中間部２４の上端の環形段階面２４２と前記ランプカバー６０の底端との間に挟められる。他のワッシャー２００は、前記連接筒２０の下端部２２内に収容され、且つ前記連接筒２０の中間部２４の下端の環形段階面２４２と前記ランプキャップ１０の頂端との間に挟められる。前記２つのワッシャー２００によって、前記ランプキャップ１０、前記連接筒２０及び前記ランプカバー６０を１つのキャビティに密封して、前記キャビティ内の発光ダイオードモジュール５０及び他の電子素子を保護することができる。前記ランプキャップ１０の底部における導電線の挿入箇所にも防水連接部１００が設置されて、雨水が前記導電線の挿入箇所から浸入することを防いでいる。
【００１６】
前記連接筒２０、前記取付部材３０及び前記導熱体４０は、全て優れた導熱性を有するため、熱伝導経路を形成する。具体的に説明すると、前記導熱体４０が前記発光ダイオードモジュール５０からの熱量を吸収し、前記取付部材３０によって前記熱量を前記連接筒２０に伝送し、最後に前記連接筒２０によって前記熱量を周囲の空気に放熱する。
【００１７】
前記複数の発光ダイオードモジュール５０は、別々に前記複数の導熱体４０の外周面に取り付けられ、且つ異なる方向に向かうため、前記発光ダイオードランプが作動する場合、前記複数の発光ダイオードモジュール５０からの光線は、前記発光ダイオードランプの周囲の各方向を均一に照射して、前記発光ダイオードランプの周囲に広い照射領域を形成する。
【００１８】
図６に示されたように、本発明の第二実施形態に係る発光ダイオードランプにおいて、取付部材７０には、前記取付部材７０の中心に対して対称的に並ぶ２つの縦長い固定孔７４が開設される。２つの導熱体８０は縦長い板状であって、前記２つの導熱体８０の一端は前記取付部材７０の２つの固定孔７４に挿入される。前記取付部材７０の２つの固定孔７４に固定されている前記２つの導熱体８０は、互いに平行し、前記複数の発光ダイオードモジュール５０は、前記２つの導熱体８０の外側面に貼り合わせられる。
【００１９】
他の実施形態において、取付部材及び導熱体を一体成型することができる。
【００２０】
以上本発明を実施例に基づいて具体的に説明したが、本発明は、上述の実施例に限定されるものではなく、その要旨を逸脱しない範囲において、種種変更可能であることは勿論であって、本発明の技術的範囲は、以下の特許請求の範囲から決まる。
【符号の説明】
【００２１】
１０  ランプキャップ
１２  外部ねじ山
１４  リブ
１６  取付孔
２０  連接筒
２２  端部
２４  中間部
３０  取付部材
３２  外部ねじ山
３４  固定孔
３６  貫通孔
４０  導熱体
４２  固定孔
５０  発光ダイオードモジュール
５２  回路基板
５４  発光ダイオード
６０  ランプカバー
６２  連接部
６４  透光部
７０  取付部材
７４  固定孔
８０  導熱体
１００  防水連接部材
１０２  環形スロット
２００  ワッシャー
２２０  内部ねじ山
２４０  内部ねじ山
２４２  環形段階面
２４４  リブ
３００  ねじ
５４０  固定孔
６２２  外部ねじ山
６２４  リブ
【図１】
2010251325.tif 000003
【図２】
2010251325.tif 000004
【図３】
2010251325.tif 000005
【図４】
2010251325.tif 000006
【図５】
2010251325.tif 000007
【図６】
2010251325.tif 000008